(57)【要約】【課題】梱包箱の強度を確保でき、テープの剥がし作業が楽になる梱包箱を提供する。【解決手段】対向するフラップ部４，５の合せ目Ｍと側面３とをテープ６で封する梱包箱１において、少なくとも一方のフラップ部４または５の側面３側端部に、テープ６により隠される範囲に破断線Ｐを入れて構成する。【選択図】図２
2008137658.tif 000002
【特許請求の範囲】
【請求項１】
対向するフラップ部の合せ目と側面とをテープで封する梱包箱において、
前記少なくとも一方のフラップ部の側面側端部の前記テープにより隠れる範囲に破断線を入れたことを特徴とする梱包箱。
【請求項２】
対向するフラップ部の合せ目と側面とをテープで封する梱包箱において、
前記少なくとも一方のフラップ部の側面側端部の前記テープにより隠れる範囲に切欠きを設けたことを特徴とする梱包箱。
【請求項３】
対向するフラップ部の合せ目と側面とをテープで封する梱包箱において、
前記フラップ部の側面側端部に、前記テープが接着しない非接着面を形成させたことを特徴とする梱包箱。
【発明の詳細な説明】
【技術分野】
【０００１】
本発明は、梱包箱に関するものである。
【背景技術】
【０００２】
従来、ダンボール製の梱包箱は、フラップ部の合せ目をテープで封しており、テープが強力に接着されている場合には、手でテープを剥がせないためにフラップ部の合せ目にカッターを入れて、合せ目に沿ってテープを切断してフラップ部を開けることがある。しかし、フラップ部の合せ目にカッターを入れると、カッターで梱包箱内部の商品に傷を付ける虞もあり、そのような事態を回避するために、フラップ部の合せ目にカッターを入れることなく良好にテープを剥がせるようにした梱包箱がある。
例えば特許文献１に開示されているものでは、梱包箱の側面に指掛用開口部を形成し、テープを剥がす際に、この指掛用開口部に指を入れて、良好にテープを剥がせるようになっている。
また、特許文献２に開示されているものでは、梱包箱の側面に、テープを剥がす際に指を入れることのできる切れ目が形成されている。
【特許文献１】特開平５−１６２７４２号公報
【特許文献２】特開２００４−１７５４５１号公報
【発明の開示】
【発明が解決しようとする課題】
【０００３】
上記特許文献１および特許文献２に開示されているように、テープを剥がす際に指を入れるように指掛用開口部や切れ目を梱包箱の側面に形成させておくと、梱包箱の強度が弱くなり、また指掛用開口部では、この開口部から梱包箱内部にほこりが入り易い等の問題点があった。
【課題を解決するための手段】
【０００４】
本発明は上記従来の問題点に鑑み案出したものであって、強度が弱まることがなく、また内部にほこりが入ることもなく、しかも、フラップ部の合せ目にカッターを入れることなく一方向からテープを良好に剥がすことのできる梱包箱を提供するものであり、その請求項１は、対向するフラップ部の合せ目と側面とをテープで封する梱包箱において、前記少なくとも一方のフラップ部の側面側端部の前記テープにより隠れる範囲に破断線を入れたことである。
【０００５】
また、請求項２は、対向するフラップ部の合せ目と側面とをテープで封する梱包箱において、前記少なくとも一方のフラップ部の側面側端部の前記テープにより隠れる範囲に切欠きを設けたことである。
【０００６】
また、請求項３は、対向するフラップ部の合せ目と側面とをテープで封する梱包箱において、前記フラップ部の側面側端部に、前記テープが接着しない非接着面を形成させたことである。
【発明の効果】
【０００７】
本発明は、対向するフラップ部の合せ目と側面とをテープで封する梱包箱において、前記少なくとも一方のフラップ部の側面側端部の前記テープにより隠れる範囲に破断線を入れたことにより、破断線はテープで隠されるため、この破断線が押されて破れる虞は少なく、良好な梱包箱の強度を確保して、すっきりとした状態にテープで封することができ、テープを剥がす時には、梱包箱の短尺側面の上端とフラップ部との間にカッターを入れて、テープをカッターで切断した後、破断線の部分を指で掴んでテープを一方向から一度に剥がすことができ、テープの剥がし作業を楽に行えるものである。
【０００８】
また、対向するフラップ部の合せ目と側面とをテープで封する梱包箱において、前記少なくとも一方のフラップ部の側面側端部の前記テープにより隠れる範囲に切欠きを設けたことにより、切欠きはテープで隠されるため、すっきりとした状態にテープで封することができ、切欠きの範囲も狭いために梱包箱の強度が確保され、テープを剥がす際には、梱包箱の短尺側面の上端とフラップ部との間にカッターを入れて、テープをカッターで切断すると、切欠きの部分のテープを良好に指で摘むことができるものとなり、テープの端部を良好に摘み、テープを一方向から一度に剥がすことができるものとなる。
【０００９】
また、対向するフラップ部の合せ目と側面とをテープで封する梱包箱において、前記フラップ部の側面側端部に、前記テープが接着しない非接着面を形成させたことにより、梱包箱には開口部等が存在しないため十分な強度が確保され、またテープで非接着面は隠されてすっきりとした状態にテープで封することができ、テープを剥がす際には、梱包箱の短尺側面の上端とフラップ部との間にカッターを入れて、テープをカッターで切断すると、非接着面の上面側のテープは接着されていないため、良好にテープの端部を指で摘むことができるものとなり、テープの端部を指で摘んで良好に一方向から剥がし取ることができるものとなる。
【実施例】
【００１０】
以下、本発明の実施例を図面に基づいて説明する。
図１は、ダンボール製の梱包箱１の対向する上面フラップ部４，５の合せ面の上にテープ６を貼着し、テープ６の端部６ａを梱包箱の短尺側面３に回して、テープ６で合せ目と側面３を封した状態である。なお、図中２は、梱包箱１の長尺側面である。
【００１１】
このように封された梱包箱１のテープ６を剥がす際には、図２に示すように、梱包箱の短尺側面３の上端とフラップ部４，５との間にカッター７を入れて、カッター７でテープ６の端部６ａの上端を切断し、その後に図３に示すように、テープ６を一方向から剥がしてゆくことができるものである。
【００１２】
即ち、図４に梱包箱１の要部拡大図を示すように、梱包箱１の上面フラップ部４，５の左端の側面側端部４ａ，５ａには、ミシン目による破断線Ｐ，Ｐが、それぞれ対向状に合せ目Ｍに向かって形成されており、破断線Ｐと合せ目Ｍ間で三角形状の切除部４ｂ，５ｂが上面フラップ部４，５の図示左端部にそれぞれ形成されており、破断線Ｐ，Ｐは図１のようにテープ６で封した状態では、テープ６により隠されるものである。
この破断線Ｐはテープ６で隠されるため、誤って破断線Ｐ，Ｐが押圧されて破られるようなことは少なく、梱包箱１の強度は十分に確保されるものとなる。しかも、破断線Ｐはテープ６に隠される範囲内に小さく形成されているため、梱包箱１の強度が低下することはない。
【００１３】
図５のように、梱包箱の短尺側面３の上端とフラップ部４，５との間にカッター７を入れて、カッター７でテープを切断し、図６の拡大図で示すように、例えば上面フラップ部４側の切除部４ｂを端部側から指で摘み上方へ持ち上げると、切断線Ｐで良好に切除部４ｂが切除されることとなり、この切除部４ｂを指で摘んだままテープ６を上方へ持ち上げて左端側から右端側へ剥がしてゆくことができ、テープの剥がし作業を極めて良好に行えるものとなる。
なお、テープ６は、梱包箱の短尺側面３の上端とフラップ部４，５との間にカッター７を入れて切断してから剥がすことになるので、輸送中等において誤ってテープ６の端部６ａを引っ掛けたりして剥がれる虞もない。
【００１４】
なお、図６では、上面フラップ部４側の切除部４ｂを指で摘んでテープ６を剥がす状態を示しているが、上面フラップ部５側の切除部５ｂを指で摘んでテープ６を剥がしても良く、また両側の切除部４ｂ，５ｂを指で摘んでテープ６を剥がすようにしても良い。
【００１５】
なお、別例として、切除部４ｂあるいは切除部５ｂの部分を最初から切り欠いておき、その上面にテープ６を貼着して封するように構成しても良く、更には、図７に示すように、上面フラップ部４の図示左側端部に、平行辺４ｃと垂直辺４ｄで角状に切り欠いた切欠き４ｅを形成させ、この切欠き４ｅと対向状に、上面フラップ部５側にも、平行辺５ｃと垂直辺５ｄで切欠き５ｅを予め形成させておいても良く、この切欠き４ｅ，５ｅを蓋するようにテープ６を貼着して、テープ６で合せ目Ｍと短尺側面３を封しても良い。
【００１６】
この図７のように、切欠き４ｅ，５ｅを形成させた梱包箱１においては、テープ６を剥がす際に、図８に示すように、梱包箱の短尺側面３の上端とフラップ部４，５との間にカッター７を入れて、カッター７で、端部６ａを残してテープ６を切断すると、図９に示すように、テープ６の切断部の下方に、切欠き４ｅ，５ｅによる隙間Ｓが形成され、この隙間Ｓ内に指を入れて良好にテープ６を指で摘むことができ、この図９の状態で左端側から右端側へ向かってテープ６を剥がしてゆくことができるものであり、テープ６の剥がし作業を極めて楽に行えるものである。
【００１７】
次に、図１０で示すものは更なる変更例であり、この図１０に示す梱包箱１においては、上面フラップ部４，５のそれぞれの側面側端部４ａ，５ａの上面側に、非接着面４ｆ，５ｆが予め形成されたものであり、この非接着面４ｆ，５ｆは、例えば、蝋やフッ素やパラフィンまたはシリコンを染み込ませるか塗布して形成されたものであり、この非接着面４ｆ，５ｆ上にはテープ６が接着しないように構成されたものである。
【００１８】
このように、非接着面４ｆ，５ｆを形成させておき、図１のようにテープ６で合せ面Ｍと短尺側面３を封した状態では、開口部等が存在しないため梱包箱１の強度が確保されるものとなり、テープ６を剥がす際には、梱包箱の短尺側面３の上端とフラップ部４，５との間にカッター７を入れて、カッター７でテープを切断すると、非接着面４ｆ，５ｆ上のテープ６は容易に上方へめくり上げることができるため、このめくり上げたテープ６の端部を指で摘み、テープ６を左端側から右端側へ剥がしてゆくことができ、テープの剥がし作業を極めて容易に行うことができるものとなる。
【００１９】
なお、上記実施例では、切除部４ｂ，５ｂ、切欠き４ｅ，５ｅ、非接着面４ｆ，５ｆは、上面フラップ部４，５にそれぞれ形成したものを例示しているが、上面フラップ部４あるいは上面フラップ部５の何れか片側のみに設けたものであっても良い。
また、切除部４ｂ，５ｂ、切欠き４ｅ，５ｅ、非接着面４ｆ，５ｆは、テープにより余裕をもって隠されるように、テープ６の幅寸法に比べて十分に小さい幅寸法に設定しておけば、テープ６の貼り付け位置がずれた場合にも、良好にテープ６で覆うことができるものとなる。特に、切欠き４ｅ，５ｅの場合には、切欠き４ｅ，５ｅ下方の梱包箱にテープ６が接着しないように、切欠き４ｅ，５ｅは小さめに形成させておくことが好ましい。
【図面の簡単な説明】
【００２０】
【図１】フラップ部の合せ面と側面とをテープで封した状態の梱包箱の斜視構成図である。
【図２】テープを剥がす際にカッターで端部を切断している状態の斜視構成図である。
【図３】切断後にテープを一端側から剥がしてゆく工程の斜視構成図である。
【図４】梱包箱のフラップ部の左端部に形成された破断線の部分の要部拡大構成図である。
【図５】カッターで切断する箇所を示した斜視構成図である。
【図６】破断線で切断した切除部とともにテープを剥がしてゆく状態の拡大斜視構成図である。
【図７】変更例を示し、フラップ部の左端部に切欠きを形成させた梱包箱の要部斜視構成図である。
【図８】切欠き上に貼着されたテープの端部をカッターで切断する状態の斜視構成図である。
【図９】切断した後にテープの端部を指で摘んで剥がす状態の斜視構成図である。
【図１０】更に異なる梱包箱の変形例であり、フラップ部の左端部にテープの接着しない非接着面を形成させた要部斜視構成図である。
【符号の説明】
【００２１】
１  梱包箱
３  短尺側面
４，５  上面フラップ部
４ａ，５ａ  側面側端部
４ｂ，５ｂ  切除部
４ｅ，５ｅ  切欠き
４ｆ，５ｆ  非接着面
６  テープ
６ａ  端部
７  カッター
Ｍ  合せ目
Ｐ  破断線
【図１】
2008137658.tif 000003
【図２】
2008137658.tif 000004
【図３】
2008137658.tif 000005
【図４】
2008137658.tif 000006
【図５】
2008137658.tif 000007
【図６】
2008137658.tif 000008
【図７】
2008137658.tif 000009
【図８】
2008137658.tif 000010
【図９】
2008137658.tif 000011
【図１０】
2008137658.tif 000012